(57)【特許請求の範囲】
【請求項１】
記録媒体に記録されたストリーム情報を再生し、表示装置に出力する再生装置において、
前記表示装置の画面上に再生中のストリーム情報に関連する関連情報を取得するために、当該関連情報を有するＷｅｂ上のリソースに接続するためのリソース利用情報を記憶する記憶手段と、
前記ストリーム情報の再生中に、前記関連情報が前記リソースに存在することを示すＷｅｂマークを表示する手段で、前記ストリーム情報の再生開始に従って前記Ｗｅｂマークを表示し、前記ストリーム情報の再生終了に従って前記Ｗｅｂマークの表示を解除するように表示制御を実行するマーク表示制御手段と、
前記マーク表示制御手段により表示された前記Ｗｅｂマークに対する指示に応じて、前記リソース利用情報を使用して前記リソースに接続し、当該リソースから前記関連情報を取得する取得手段と、
前記取得手段により取得した前記関連情報を前記表示装置に出力する手段と
を具備したことを特徴とする再生装置。
【請求項２】
前記記憶手段には、ストリーム情報に含まれる複数の区画情報毎に、前記リソース利用情報と共に、前記Ｗｅｂマークの表示制御に使用するための時間情報が記憶されており、
前記マーク表示制御手段は、前記表示装置の画面上に再生する区画情報の表示開始に従って前記Ｗｅｂマークを表示し、前記区画情報の再生終了に従って前記Ｗｅｂマークの表示を解除するように表示制御を実行することを特徴とする請求項１に記載の再生装置。
【請求項３】
前記リソース利用情報は、パレンタル機能を実現するためのパレンタル情報を含み、
前記取得手段は、前記指示された関連情報の中で、当該パレンタル情報に適合する関連情報を取得するためのリソースを選択するように構成されていることを特徴とする請求項１または請求項２のいずれか１項に記載の再生装置。
【請求項４】
記録媒体に記録されたストリーム情報を表示装置の画面上に再生し、前記表示装置の画面上に再生中のストリーム情報に関連する関連情報を取得するために当該関連情報を有するＷｅｂ上のリソースに接続するためのリソース利用情報を記憶する記憶手段を有する再生装置に適用する再生方法であって、
前記ストリーム情報の再生中に、前記関連情報が前記リソースに存在することを示すＷｅｂマークを表示する処理で、前記ストリーム情報の再生開始に従って前記Ｗｅｂマークを表示し、前記ストリーム情報の再生終了に従って前記Ｗｅｂマークの表示を解除するように表示制御を実行する処理と、
前記表示された前記Ｗｅｂマークに対する指示に応じて、前記リソース利用情報を使用して前記リソースに接続し、当該リソースから前記関連情報を取得する処理と、
前記取得手段により取得した前記関連情報を前記表示装置に出力する処理と
を有する手順を実行することを特徴とする再生方法。
【請求項５】
前記記憶手段には、ストリーム情報に含まれる複数の区画情報毎に、前記リソース利用情報と共に、前記Ｗｅｂマークの表示制御に使用するための時間情報が記憶されており、
前記表示制御を実行する処理は、前記表示装置の画面上に再生する区画情報の表示開始に従って前記Ｗｅｂマークを表示し、前記区画情報の再生終了に従って前記Ｗｅｂマークの表示を解除することを特徴とする請求項４に記載の再生方法。
【請求項６】
前記リソース利用情報は、パレンタル機能を実現するためのパレンタル情報を含み、
前記取得する処理は、前記指示された関連情報の中で、当該パレンタル情報に適合する関連情報を取得するためのリソースを選択することを特徴とする請求項４または請求項５のいずれか１項に記載の再生方法。
【発明の詳細な説明】
【０００１】
【発明の属する技術分野】
本発明は、ＡＶ情報を再生するためのシステムであり、特に再生したストリーム情報に関連する関連情報をコンピュータ・ネットワーク上のリソースから得ることを可能にした外部アクセス機能を備えた再生システムに関する。
【０００２】
【従来の技術】
近年、大容量のＤＶＤ（ディジタル・ビデオ・ディスク）の開発に伴って、ディジタルの映像情報（静止画像を含む）、音声情報などのいわゆるマルチメディア情報を利用するための各種の再生システムが提案されている。以下、ディジタルの映像情報（静止画像を含む）と音声情報とを統合してＡＶ情報と称する。
【０００３】
再生システムは、具体的にはＤＶＤドライブを有し、このＤＶＤドライブにセットされたＤＶＤに記録（録画）されたＡＶ情報を再生処理して、例えばテレビ受像機またはパーソナルコンピュータのディスプレイ（画面）上に表示させる機能を備えたビデオプレーヤまたはビデオデッキなどに相当する装置である。
【０００４】
ＤＶＤには通常では、ＭＰＥＧ（ｍｏｖｉｎｇ  ｐｉｃｔｕｒｅ  ｃｏｄｉｎｇ  ｅｘｐｅｒｔｓ  ｇｒｏｕｐ）２と称する動画像符号化方式により符号化されたＡＶ情報が音声情報などと多重化されて記録される。再生システムは、ＤＶＤから指定のタイトル（例えば映画）に対応する所定の符号化ストリーム（連続ビットデータ列）単位のストリーム情報を再生することにより、ＡＶ情報を画面上に連続的に再生する。
【０００５】
ところで、前記の再生システムは、ＤＶＤドライブだけでなく、特にインターネットのようなコンピュータ・ネットワークに接続するための通信機能を有し、当該ネットワーク上のリソースであるＷｅｂサーバから所望のＷｅｂページ（ホームページ）と呼ぶストリーム情報をアクセスできる統合的なシステムとして提案されている。
【０００６】
【発明が解決しようとする課題】
前述したような再生システムとして、コンピュータ・ネットワークに接続して当該ネットワーク上のリソース（Ｗｅｂサーバなど）を利用できる統合的なシステムが提案されている。このような統合的なシステムであれば、ＤＶＤに録画されたタイトルの再生処理だけでなく、ストリームの再生によるストリーム情報に関連する関連情報（任意に設定された情報であり、必ずしも属性的な情報のみを意味しない）をネットワーク上のリソースから取得して表示画面上に表示出力するような処理も可能となる。
【０００７】
具体例としては、ＤＶＤから読出したストリームの再生により、表示画面上に例えばレストランで食事をしているシーン（ストリーム情報）が表示されているとき、ユーザが必要に応じてそのレストランに関する関連情報を得られるようなシステムである。関連情報は例えばネットワーク上のＷｅｂサーバに用意されており、ユーザが表示画面上に表示される例えばＷｅｂマークをマウスでクリックするだけで、当該Ｗｅｂサーバにリンクされて、関連情報（即ち、Ｗｅｂページ）が表示画面上に表示されるシステムであれば非常に便利である。このようなシステムであれば、ユーザは、タイトルを再生すると共に、前記のようなシーン（ストリーム情報）に関係する例えばレストランの場所やメニュー内容などの関連情報を画面上で要求時に視聴できる。
【０００８】
また、関連情報を例えばネットワーク上のＷｅｂサーバから入手する場合に、再生システムの属性などの所定の条件に合致する最適な関連情報を入手できることが望ましい。具体的には、例えば再生システムに設定されているパレンタルレベル（後述するパレンタル機能に関係する情報）に適合する関連情報が入手できることが望ましい。
【０００９】
そこで、本発明の目的は、ＤＶＤなどの記憶媒体からＡＶ情報を再生するシステムにおいて、通常のタイトルの再生だけでなく、所定のストリーム情報に関連する関連情報をコンピュータ・ネットワークのリソースなどを利用して、簡単な操作で容易に得ることができる再生システムを提供することにある。さらに、本発明の目的は、前記の関連情報をコンピュータ・ネットワークのリソースなどから入手する場合に、システムの属性などの所定の条件に合致する最適な関連情報を入手できる再生システムを提供することにある。
【００１０】
【課題を解決するための手段】
本発明の観点に従った再生装置は、記録媒体に記録されたストリーム情報を再生し、表示装置に出力する再生装置において、前記表示装置の画面上に再生中のストリーム情報に関連する関連情報を取得するために、当該関連情報を有するＷｅｂ上のリソースに接続するためのリソース利用情報を記憶する記憶手段と、前記ストリーム情報の再生中に、前記関連情報が前記リソースに存在することを示すＷｅｂマークを表示する手段で、前記ストリーム情報の再生開始に従って前記Ｗｅｂマークを表示し、前記ストリーム情報の再生終了に従って前記Ｗｅｂマークの表示を解除するように表示制御を実行するマーク表示制御手段と、前記マーク表示制御手段により表示された前記Ｗｅｂマークに対する指示に応じて、前記リソース利用情報を使用して前記リソースに接続し、当該リソースから前記関連情報を取得する取得手段と、前記取得手段により取得した前記関連情報を前記表示装置に出力する手段とを備えた構成である。
【００１４】
【発明の実施の形態】
以下図面を参照して本発明の実施の形態を説明する。
図１は同実施形態に関係する再生システムのハードウェアの構成を示すブロック図であり、図２は同再生システムの概念的構成を示すブロック図である。
（システム構成）
本実施形態の再生システムは、ＤＶＤドライブを内蔵したパーソナルコンピュータまたはＴＶ受像機を有するセット・トップ・ボックス（ｓｅｔ  ｔｏｐ  ｂｏｘ）、あるいはそれらを統合したようなマルチメディア端末装置のようなシステムを想定する。なお、セット・トップ・ボックスはＩＲＤ（ｉｎｔｅｇｒａｔｅｄ  ｒｅｃｅｉｖｅｒ  ｄｅｃｏｄｅｒ）とも呼ばれている。
【００１５】
当該再生システムのハードウェア構成は、図１に示すように、メイン制御装置を構成するマイクロプロセッサ（ＣＰＵ）１と、ＣＰＵ１のワークメモリ（メインメモリ）として機能するＲＡＭ２と、ＣＰＵ１のプログラムなどを格納したＲＯＭ３と、ＤＶＤドライブ４とを有する。ＤＶＤドライブ４は、本実施形態に関係する記憶媒体であり、ＡＶ情報および後述する情報管理テーブル（リソース利用情報）を格納したＤＶＤ４０を駆動するためのドライブである。
【００１６】
さらに、本システムは、インターネット上のリソースであるＷｅｂサーバに接続して情報の交換を行なうための通信制御部５とモデム６を有するネットワーク接続用装置、入力制御部７と入力部８からなる入力装置、および表示制御部９と表示部１０からなる表示装置のそれぞれを有する。入力部８はマウスおよびキーボードを有する。表示部１０は、例えばＣＲＴディスプレイや液晶ディスプレイの表示画面またはＴＶ受像機のディスプレイである。
（本実施形態の再生動作に関係する概念的構成）
本実施形態のＤＶＤドライブ４のＤＶＤ４０には、図２に示すように、ＡＶ情報（以下タイトル情報と呼ぶ）４０ａおよび情報管理テーブル４０ｂが格納されている。タイトル情報４０ａは、例えば映画などのマルチメディア情報であり、例えばＭＰＥＧ２の動画像符号化方式により符号化された符号化ストリーム（連続ビットデータ列）情報である。なお、タイトル情報４０ａには、通常ではストリーム情報以外に、例えばＤＶＤ規格に準拠した制御情報（データ再生制御に関するナビゲーション・コマンドなどの管理情報）も含まれている。
【００１７】
情報管理テーブル４０ｂは、本発明の再生方式の特徴であるネットワーク（インターネットを想定する）のリソース（Ｗｅｂサーバを想定する）を利用するためのリソース利用情報である。情報管理テーブル４０ｂは、具体的には図３に示すように、大別してタイトル情報４０ａの各ストリームを特定するための識別情報（ＤＶＤ４０の領域情報）ＳＴ−１〜ＳＴ−ｎ、およびアクセス情報（またはリンク情報）３０からなる。
【００１８】
識別情報ＳＴ−１〜ＳＴ−ｎは、プログラムチェーン番号（タイトルの全体または一部を再生するための論理単位）、ビデオタイトル番号、セル番号、チャプター番号のようなＤＶＤ規格に基づいたストリームを特定するための情報以外に、本実施形態に関係する情報通知時間の情報（以下時間情報と称する）および座標情報を含む。時間情報は、後述するように、ストリーム中の所定のストリーム情報（シーン）においてリソースの利用が可能である（本実施形態では関連情報であるＷｅｂページの表示が可能）ことを示すためのＷｅｂマーク（特定入力情報）の表示制御（表示の開始と終了）に使用するための情報である。なお、ストリーム全体でＷｅｂページの表示が可能である場合（アクセスが可能）には、当該時間情報は不要である。
【００１９】
さらに、座標情報とは、ストリーム中の所定のストリーム情報（動画像）において複数の区画情報毎にＷｅｂページをアクセスすることが可能である場合に使用するするための情報である。従って、所定のストリーム情報において、アクセス対象のＷｅｂページが１個の場合には、座標情報は不要となる。具体的には、図９（Ｂ）に示すように、表示部１０の画面１０ａ上に表示されるストリーム情報を複数の区画情報９２ａ〜９２ｃとして取り扱う場合に、各区画情報９２ａ〜９２ｃ毎にＷｅｂページが用意されている場合である。各区画情報９２ａ〜９２ｃは前記の座標情報により識別される。
【００２０】
アクセス情報（リンク情報）３０は、各ストリーム（ＳＴ−１〜ＳＴ−ｎ）において所定のストリーム情報毎またはストリーム全体に対応するＷｅｂページをアクセスするためのリソース（Ｗｅｂサーバ）に接続するための情報（ＵＲＬ表示関連情報）である。例えば、ストリームＳＴ−ｎに対応するＷｅｂページは、アクセス情報（§ｎ）に対応するＷｅｂサーバに接続してアクセスされる。
【００２１】
さらに、アクセス情報３０は、図４に示すように、再生システムに設定されたシステム属性情報の中でパレンタル機能に関係するパレンタル情報に基づいて定義されている。即ち、情報管理テーブル４０ｂは、アクセス情報３０をパレンタル情報に基づいて定義するための付属テーブル４０ｃを有し、当該パレンタル情報に基づいてリンク情報（ＵＲＬ表示関連情報）を選択し、最適なＷｅｂサーバに接続できるように構成されている。
【００２２】
ここで、パレンタル（ｐａｒｅｎｔａｌ）機能とは、特にディジタル画像情報の再生システムに適用される再生制御（換言すれば再生制限）方式である。このパレンタル機能に関係するパレンタル情報として、パレンタルレベルが定義されている。パレンタルレベルは、例えば最大制限レベル（レベル“８”）から最小制限レベル（レベル“１”）までの８段階のレベルが設定されている。再生システムは、設定されたパレンタルレベルに基づいて再生内容が制限される。具体的には、例えば最大制限レベル“８”を「アダルト」レベルとして設定した場合には、当該ディジタル画像情報はアダルト（成人）向けの映画などを意味する。また、例えば最小制限レベル“１”を「子供」レベルとして設定した場合には、当該ディジタル画像情報は子供向けの映像を意味する。従って、再生システムは、パレンタル情報により設定されたパレンタレベルが例えばレベル“７”以下であれば、パレンタルレベル“８”が設定されているアダルト向けの映画などのディジタル画像情報の再生が禁止となる。
【００２３】
情報管理テーブル４０ｂは、図２に示すように、タイトル情報の再生時に、ＣＰＵ１の制御によりＤＶＤ４０から読出されて、ＲＡＭ２の所定領域２０に格納される。ＣＰＵ１は、ＲＡＭ２に格納された情報管理テーブル４０ｂを使用して、本実施形態のリソース利用処理を実行する。即ち、ＮＴ（ネットワーク）リソース利用の判断処理部１００は、後述するユーザの入力指示操作（Ｗｅｂマークのクリック操作）に応じてリソース利用の正当性の判断（即ち、Ｗｅｂページのアクセス可能の判断）を実行する。さらに、判断処理部１００のアクセス可能の判断結果に基づいて、ＮＴリソース利用処理部１０１は該当するネットワーク上のＷｅｂサーバに接続して、関連情報に相当するＷｅｂページをアクセスする処理を実行する。なお、判断処理部１００およびＮＴリソース利用処理部１０１はそれぞれ、ＣＰＵ１と設定された各プログラムとからなる概念的な構成要素を意味する。
（タイトルの再生処理）
以下図１から図４以外に、図５から図９のフローチャートおよび図１０から図１３までの表示画面関係の概念図を参照して、同実施形態の動作を説明する。
【００２４】
まず、ＤＶＤドライブ４にＤＶＤ４０がセットされて、ユーザが入力部８を操作してタイトル情報の再生を行なう入力指示があると、ＣＰＵ１はＤＶＤ４０からタイトル情報を読出して表示部１０の画面上に表示出力する再生処理を開始する（再生プログラムの起動）。
【００２５】
この再生開始時に、ＣＰＵ１は、図２に示すように、ＤＶＤ４０から情報管理テーブル４０ｂ（付属テーブル４０ｃを含む）を読出してメインメモリ（ＲＡＭ）２にロードする（ステップＳ１）。これにより、ＣＰＵ１は、再生対象のタイトル情報の各ストリームに関連する関連情報（Ｗｅｂページ）をアクセスするためのリソース利用情報（ＷＥＢ表示関連情報と呼ぶ場合がある）を読み込むことになる。
【００２６】
ＣＰＵ１は、ＤＶＤ４０から指定されたタイトル情報が存在することを確認すると、ストリーム単位のストリーム情報（ストリーム情報）を読込む（ステップＳ２，Ｓ３）。ＣＰＵ１は、情報管理テーブル４０ｂに基づいて、ＷＥＢ表示関連情報が付加されているか否かをストリーム単位でチェックする（ステップＳ４）。即ち、情報管理テーブル４０ｂにＷＥＢ表示関連情報が含まれていない場合には、ＣＰＵ１は、本実施形態のリソース利用処理を実行せずに、通常の再生処理を継続する（ステップＳ４のＮＯ，Ｓ５，Ｓ６，Ｓ１１）。
【００２７】
図３に示すように、情報管理テーブル４０ｂにＷＥＢ表示関連情報が含まれている場合に、ＣＰＵ１は、ＷＥＢ表示関連情報の内容をチェックし、前述の時間情報の有無を確認する（ステップＳ７，Ｓ８）。時間情報が存在しない場合には、ストリーム全体の再生時にＷｅｂマーク（ＷＥＢマークと表記する場合もある）を表示部１０の画面上に表示する（ステップＳ８のＮＯ，Ｓ１０）。具体的には、図３に示すように、ストリームＳＴ−ｎに対応するストリーム情報を再生する場合である。具体的には、図１０（Ａ）に示すように、表示部１０の画面１０ａ上に、ストリーム情報の所定のストリーム情報９１を表示したときに、当該画面１０ａにＷｅｂマーク９０を表示する。一方、時間情報が存在する場合には、ＣＰＵ１はＷｅｂマークの表示制御のためのタイマ処理を実行する（ステップＳ８のＹＥＳ，Ｓ９）。
（Ｗｅｂマークの表示処理）
ここで、時間情報に基づいたタイマ処理について、図６と図７のフローチャートおよび図１２を参照して説明する。
【００２８】
時間情報は、タイトル情報において、Ｗｅｂページが用意されている所定の単一のストリーム情報（リソース利用可能なシーンに相当し、例えば図３のＳＴ−１）の表示期間に、Ｗｅｂマークを表示するための表示時間を指定するための情報である。ここで、図１２に示すように、連続再生中のストリームデータＡ〜Ｃを想定する。所定のストリーム情報とは、ストリームデータＢの区間Ｂ２に対応するシーンに相当し、時間情報に基づいてＷｅｂマークを表示する情報として設定されている。ＣＰＵ１は、区間Ｂ２の再生開始（Ｓ時点）からタイマをスタートさせて、表示部１０の画面上にＷｅｂマークを表示させる（ステップＳ２０，Ｓ２１）。そして、区間Ｂ２の再生終了（Ｅ時点）に伴って、Ｗｅｂマークの表示を解除するための表示処理に移行する（ステップＳ３０，Ｓ３１）。
【００２９】
このような時間情報に基づいたタイマ処理により、具体的には、図１３に示すような表示処理を実行されることになる。即ち、表示部１０の画面１０ａ上には、図１３（Ａ）に示すように、時間的に先行する区間Ａのストリーム情報９４ａが表示される。これに連続して、図１３（Ｂ）に示すように、画面１０ａ上には区間Ｂのストリーム情報９４ｂが表示される。このとき、前述のタイマ処理により、当該画面１０ａ上にはＷｅｂマーク９０が表示される。さらに、これに連続して、図１３（Ｃ）に示すように、画面１０ａ上には区間Ｃのストリーム情報９４ｃが表示される。このようなＷｅｂマークの表示処理により、ユーザは表示部１０の画面１０ａ上において、区間Ｂのストリーム情報９４ｂが再生されているときに、Ｗｅｂマーク９０の表示を確認することができる。このＷｅｂマーク９０の表示により、再生されたストリーム情報９４ｂに関連する関連情報（Ｗｅｂページ）が存在し、必要に応じて参照できることが示唆される。
（リソース利用処理）
以下主として図８，９および図１４のフローチャート、並びに図１１を参照して、本実施形態のリソース利用処理について説明する。
【００３０】
まず、図４に示す付属テーブル４０ｃを使用しない基本的なリソース利用処理について説明する（図８のフローチャートを参照）。
いま仮に、図１１（Ａ）に示すように、表示部１０の画面１０ａ上にはストリーム情報（シーン）９４が再生されていると想定する。このシーン９４は、例えば自動車が道路を走行している場面の映像である。ユーザが、入力部８のマウスを操作して画面１０ａ上のＷｅｂマーク９０をクリック操作すると、図２に示すように、判断処理部１００が起動する（ステップＳ４０）。即ち、判断処理部１００は、情報管理テーブル４０ｂに基づいてリソース利用の正当性の判断、即ちユーザが入力指示操作したストリーム情報９４に対応するＷｅｂページのアクセスが可能であるか否かの判断処理を実行する（ステップＳ４１）。
【００３１】
この判断処理により所定の条件が一致している場合には、ＮＴリソース利用処理部１０１が起動してリソース利用処理を実行する（ステップＳ４２のＹＥＳ）。ここで、正当性の所定の条件とは、前述のＷＥＢ表示関連情報の存在、タイトルの再生処理中、かつＷＥＢ表示関連情報として入力指示操作したストリーム情報９４に対応するアクセス情報３０が存在することである。ＣＰＵ１は、現時点のタイトル情報の再生処理を中断する（ステップＳ４３）。ここで、図１１（Ｂ）に示すように、画面１０ａ上に現時点の再生中のストリーム情報をウインドウ９５で表示するようにしてもよい。
【００３２】
ＣＰＵ１は、通信制御部５とモデム６を介して、インターネットに接続してアクセス情報３０に基づいて指定されるＷｅｂサーバをアクセスする（ステップＳ４４）。ここで、Ｗｅｂサーバとの接続処理とタイトル情報の再生処理との関係は、図１４のフローチャートに示すように、タイトル情報の再生中断でモデムの起動とＷｅｂサーバとの接続処理が実行される（ステップＳ５０〜Ｓ５２）。そして、後述するように、リソース利用処理が終了すると、タイトル情報の再生再開とＷｅｂサーバとの接続解除が実行されて、ネットワークとの接続処理は終了となる（ステップＳ５３〜Ｓ５６）。
【００３３】
ＣＰＵ１は、該当するＷｅｂサーバをアクセスすると、予めＷｅｂサーバに用意されているストリーム情報９４に関連したＷｅｂページ（ここではストリーム情報９４の自動車に関するホームページ）を受信する。そして、図１１（Ｂ）に示すように、表示部１０の画面１０ａ上に、当該ホームページ９６を表示する（ステップＳ４５）。ＣＰＵ１は、当該ホームページ９６の表示が終了すると、ＮＴリソース（Ｗｅｂサーバ）との接続を解除し、タイトル情報の再生を再開する（ステップＳ４６のＹＥＳ，Ｓ４７，Ｓ４８）。ここで、図１０（Ｃ）に示すように、現時点の再生中のストリーム情報９１を表示解除して、画面１０ａ上に当該ホームページをウインドウ９３により表示してもよい。
【００３４】
以上のように本実施形態によれば、画面上にタイトルを再生しているとき、所定のストリーム情報（Ｗｅｂマークの表示）の再生時に、ユーザが関連情報の参照を希望するときはＷｅｂマークをクリックするような入力指示操作を実行するだけで、当該関連情報に相当するＷｅｂページを画面上に表示することができる。従って、例えば画面上に走行している自動車が表示されているときに、ユーザは当該自動車に関する関連情報を参照したい場合に、その画面上で自動車に関する関連情報を直ちに参照することが可能となる。この場合、関連情報をＮＴリソースとのリンク処理により得られるか否かを、画面上に特定のＷｅｂマークを表示することにより識別できる。
（付属テーブルを使用したリソースの選択処理）
次に、図９のフローチャートを参照して図４に示す付属テーブル４０ｃを使用したリソース利用処理について説明する。
【００３５】
まず、ステップＳ７０からステップＳ７４までの処理は、前述の図８のフローチャートに示すステップＳ４０からステップＳ４４までの処理と同様である。これらの一連の処理後に、ＣＰＵ１は、図４に示す付属テーブル４０ｃを参照して、パレンタル情報（パレンタルレベル）に基づいて複数のＷＥＢ表示関連情報（リンク情報）が存在するか否かをチェックする（ステップＳ７５）。さらに、ＣＰＵ１は、予め設定されているパレンタル情報からシステムに設定されたパレンタルレベルをチェックし、当該パレンタルレベルに合致するＷＥＢ表示関連情報を選択する。ＣＰＵ１は、該当するＷｅｂサーバをアクセスして、予めＷｅｂサーバに用意されている関連情報であるＷｅｂページ（ここでは例えばパレンタルレベ０−３に合致する内容のホームページ）を受信して入手する（ステップＳ７６）。以下、ステップＳ７７からステップＳ８０までの処理は、前述の図８のフローチャートに示すステップＳ４５からステップＳ４８までの処理と同様である。
【００３６】
このようなシステムに設定されているシステムの属性情報に含まれるパレンタル情報に基づいて、当該パレンタルレベルに合致する関連情報をネットワークリソースから入手して、再生画面上において参照することができる。従って、例えば関連情報として、システムに設定されたパレンタルレベルに合致する関連情報が存在しない場合には、画面上に再生されることはない。換言すれば、関連情報のパレンタルレベルが例えばアダルト向けの最大レベル“８”の場合に、再生システムに設定されたパレンタルレベルが“７”以下であれば、ユーザが要求しても当該関連情報を再生することはできない。これにより、システムの属性とは不適切な関連情報（ここではパレンタルレベルに合致しない）をアクセス禁止にして、常にシステムの属性に適合する関連情報の入手を実現することができる。
（本実施形態の変形例）
図１５は本実施形態の変形例に関するフローチャートである。本実施形態はシステムの属性情報としてパレンタル情報を想定したが、本変形例は当該属性情報としてユーザの電話番号情報を想定した場合である。
【００３７】
具体的には、図１５のフローチャートに示すように、ステップＳ８５の処理の後で、ＣＰＵ１は、付属テーブルに設定されている電話番号情報に基づいて、複数のＷＥＢ表示関連情報（リンク情報）が存在するか否かをチェックする（ステップＳ８６）。なお、ステップＳ８１からステップＳ８５までの処理は、前述の図９のフローチャートに示すステップＳ７０からステップＳ７４までの処理と同様である。また、図４に示す付属テーブルとして、パレンタル情報（パレンタルレベル）の代わりに、電話番号情報が設定されている。
【００３８】
さらに、ＣＰＵ１は、システムに設定されているユーザ指定の電話番号情報をチェックし、当該電話番号に合致するＷＥＢ表示関連情報を選択する（ステップＳ８７）。ＣＰＵ１は、該当するＷｅｂサーバをアクセスして、予めＷｅｂサーバに用意されている関連情報であるＷｅｂページ（ここではユーザ指定の電話番号に合致するＷｅｂサーバからのホームページ）を受信して入手する（ステップＳ８８）。以下、ステップＳ８９からステップＳ９２までの処理は、前述の図９のフローチャートに示すステップＳ７７からステップＳ８０までの処理と同様である。
【００３９】
以上のように本変形例によれば、システムの属性情報としてユーザ指定の電話番号情報に基づいて、当該電話番号に合致するネットワークリソース（即ち、電話番号により設定されるエリア内のサーバ）から関連情報を入手して、画面上において参照することができる。従って、例えばユーザが要求した関連情報がユーザ指定の電話番号エリア内のサーバに存在しない場合には、無条件に他の遠隔エリアに存在するサーバをアクセスするような事態を未然に防止することができる。これにより、ユーザは、適正な通信料金の範囲内で関連情報を入手することが可能となる。
【００４０】
なお、本実施形態のパレンタル情報およびその変形例の電話番号情報以外に、システムの属性情報として例えばアクセスの時間や期間を限定する限定アクセス情報などの場合にも本発明を適用することができる。
【００４１】
また、本実施形態において、ＡＶ情報の再生処理及びリソース利用処理は、ＣＰＵ１がプログラムを実行することにより実現される。このプログラムは、ＤＶＤ４０または他の外部記憶媒体に格納されて、ＲＡＭ２にロードされる。また、本実施形態では、ＡＶ情報の映像情報に関する関連情報をＮＴリソースからアクセスする方法について説明したが、当然ながら音声情報に関する関連情報についても適用できる。例えば、あるシーンのバックに流れる音楽の題名を知りたい場合に、ユーザの入力指示に応じて、ＮＴリソースからその音楽に関する関連情報をアクセスする場合である。
【００４２】
【発明の効果】
以上詳述したように本発明によれば、ＤＶＤなどの記憶媒体からＡＶ情報を再生するシステムにおいて、通常のタイトルの再生だけでなく、所定のストリーム情報に関連する関連情報をコンピュータ・ネットワークのリソースなどを利用して、簡単な操作で容易に得ることができる。この場合、例えばパレンタル情報のようにシステムに設定される属性情報に基づいて、システムの属性に適合する関連情報のみを選択して入手することができる。従って、ユーザには通常のタイトルの再生時に要望かつ適切な関連情報を即座に参照することができるため、結果的に多様な情報の再生が可能となるなど、有用なシステムを提供することができる。
【図面の簡単な説明】
【図１】本発明の実施形態に関係する再生システムのハードウェアの構成を示すブロック図。
【図２】同実施形態の再生システムの概念的構成を示すブロック図。
【図３】同実施形態の情報管理テーブルの構成を示す概念図。
【図４】同実施形態の付属テーブルを有する情報管理テーブルの構成を示す概念図。
【図５】同実施形態の再生システムの動作を説明するためのフローチャート。
【図６】同実施形態の再生システムの動作を説明するためのフローチャート。
【図７】同実施形態の再生システムの動作を説明するためのフローチャート。
【図８】同実施形態の再生システムの動作を説明するためのフローチャート。
【図９】同実施形態の再生システムの動作を説明するためのフローチャート。
【図１０】同実施形態の表示画面の一例を示す概念図。
【図１１】同実施形態の表示画面の一例を示す概念図。
【図１２】同実施形態のストリームデータと所定のストリーム情報との関係を示す概念図。
【図１３】同実施形態の表示画面の一例を示す概念図。
【図１４】同実施形態の再生システムの動作を説明するためのフローチャート。
【図１５】同実施形態の変形例を説明するためのフローチャート。
【符号の説明】
１…マイクロプロセッサ（ＣＰＵ）
２…メインメモリ（ＲＡＭ）
３…ＲＯＭ
４…ＤＶＤドライブ
４０…ＤＶＤ
５…通信制御部
６…モデム
７…入力制御部
８…入力部（マウス）
９…表示制御部
１０…表示部
１０ａ…表示画面
【図１】
0003875388.tif 000002
【図２】
0003875388.tif 000003
【図３】
0003875388.tif 000004
【図４】
0003875388.tif 000005
【図５】
0003875388.tif 000006
【図６】
0003875388.tif 000007
【図７】
0003875388.tif 000008
【図８】
0003875388.tif 000009
【図９】
0003875388.tif 000010
【図１０】
0003875388.tif 000011
【図１１】
0003875388.tif 000012
【図１２】
0003875388.tif 000013
【図１３】
0003875388.tif 000014
【図１４】
0003875388.tif 000015
【図１５】
0003875388.tif 000016